(57)【要約】【課題】プロジェクター装置のランプは点灯時に十分な明るさに達するまで時間がかかり、また、一旦消灯すると再点灯まで時間がかかるので、ランプを常時点灯させた状態で使用することが多く、省電力化のためにランプを低電力モードで使用すると画面が暗くなるという課題があった。【解決手段】周辺照度検出回路２１でプロジェクター装置１０の周辺環境の明るさを検出し、かつ、プロジェクター装置１０が映像表示状態であるかどうかを認識し、プロジェクター装置の周辺環境の明るさや、映像の表示状態に応じてランプ駆動制御回路１５を制御してランプ１１の電力を制御するプロジェクター装置。【選択図】図１
2012108216.tif 000002
【特許請求の範囲】
【請求項１】
映像信号に基づき駆動される少なくとも１つ以上の映像表示デバイスに光源からの光を照射することによって得られる透過光または反射光によって当該映像信号の表す画像をスクリーン上に投写するプロジェクター装置であって、
前記プロジェクター装置の周辺環境の明るさを検出する周辺照度検出部と、
前記プロジェクター装置の状態を検出する状態検出部と、
前記周辺照度検出部と前記状態検出部との検出結果に応じて前記光源の電力を制御する光源電力制御部と、を備えたことを特徴とするプロジェクター装置。
【請求項２】
光源電力制御部は、光源の電力の制御を段階的に行い、かつ、周辺環境の明るさの変化に対してヒステリシスをもって電力を制御することを特徴とする請求項１記載のプロジェクター装置。
【請求項３】
光源電力制御部は、周辺照度検出部の検出結果に応じて光源の電力を高電力モードに設定している場合において、状態検出部の検出結果が映像ミュートの状態であるときは、前記光源の電力を低電力モードに設定することを特徴とする請求項１または２記載のプロジェクター装置。
【発明の詳細な説明】
【技術分野】
【０００１】
本発明は、映像信号に基づき駆動される映像表示デバイスに光源からの光を照射することによって得られる透過光または反射光によって当該映像信号の表す画像をスクリーン上に投写するプロジェクター装置に関する。
【背景技術】
【０００２】
近年、ビデオディスクプレーヤーなどの普及に伴い、大画面で迫力のある映像を表示することができる大画面の映像表示装置への需要が高まってきている。大画面の映像表示装置としては、例えば、投写型映像表示装置であるプロジェクター装置があり、プロジェクター装置とスクリーンを組み合わせて大画面映像を表示する方法がある。
【０００３】
プロジェクター装置に用いられる光源としては高圧水銀ランプなどが用いられるが、これらのランプは点灯させるためにランプへの電力の供給を始めてから十分な明るさに達するまで数分程度の時間を必要とする。また、点灯後一旦消灯させるとランプの温度が十分下がるまで数十秒〜数分間は再点灯しにくい性質を持っている。
【０００４】
そのためプロジェクター装置を使用する場合は、常時ランプを点灯させておいて使用する場合が多いのであるが、ランプだけで１００Ｗ〜３００Ｗを越える多くの電力を消費するため、省電力化を推進する新しい手段の開発が要望されている。
【０００５】
従来からのプロジェクター装置の電力削減方法としては、ランプに供給する電力を低くして低電力モードで点灯させることで消費電力の削減を図るという方法があった。図５は従来のプロジェクター装置の一例の構成を示した構成図である。
【０００６】
図５において、１０はプロジェクター装置、１１は光源であるランプ、１２は映像を表示するための映像表示デバイス、１３は投写レンズ、１４は映像を写すためのスクリーン、１５はランプ１１に電力を供給して点灯させるためのランプ駆動制御回路、１６は映像信号を処理して映像表示デバイス１２に映像を表示させるための映像信号処理回路、１７はプロジェクター装置１０の動作を制御するためのマイコン、１８はランプ駆動制御回路１５によってランプ１１に供給する電力を切り変えるための電力切り替えスイッチである。
【０００７】
図５のように構成された従来のプロジェクター装置についてその動作を説明する。ランプ駆動制御回路１５はマイコン１７からの制御信号によってランプ１１を点灯させる。マイコン１７は電力切り替えスイッチ１８の状態を監視しており、電力切り替えスイッチ１８の状態によってランプ駆動回路１５を制御してランプ１１に供給する電力を高電力モードと低電力モードに切り換える。
【０００８】
図５に示したような従来のプロジェクター装置では、ランプに供給する電力の切り換えは電力切り換えスイッチ１８を手動で設定して行うが、プロジェクター装置の状態に応じてランプへの供給電力を制御して省電力化を推進する方法も提案されており、例えば特許文献１には、人感センサーを設けプロジェクター装置の周辺の人の存在に応じてランプへの供給電力を制御する方法が提案されている。
【０００９】
また、特許文献２には投写光学系の操作と連動させて画面サイズに応じてランプへの供給電力を制御する方法が提案されている。
【先行技術文献】
【特許文献】
【００１０】
【特許文献１】特開２０１０−１９７４４０号公報
【特許文献２】特開２００３−２９３４１号公報
【発明の概要】
【発明が解決しようとする課題】
【００１１】
しかしながら従来のプロジェクター装置のようにランプに供給する電力を手動で低電力モードに切り換えて点灯する方法では、常時ランプを低電力モードで点灯させるため省電力化の面では効果はあるが、プロジェクター装置を明るい環境で使用する場合には画面が暗くなるため画像がはっきりと見えにくいといった課題があった。
【００１２】
従来のプロジェクター装置の他の提案についても、常時人が視聴している場合や、大画面で表示している時にはランプ電力が低電力モードにはならなかった。
【００１３】
本発明は上記した従来の課題を解決するためのもので、プロジェクター装置において当該装置の周辺照度や使用状態によって光源であるランプに供給する電力を制御することによって、投写画像の画質を損なうことなく省電力化を図ることができるプロジェクター装置を提供することを目的とする。
【課題を解決するための手段】
【００１４】
上記した従来の課題を解決するために、本発明のプロジェクター装置は、プロジェクター装置の周辺環境の明るさを検出する周辺照度検出部と、プロジェクター装置の状態を検出する状態検出部と、前記周辺照度検出部と前記状態検出部との検出結果に応じて光源の電力を制御する光源電力制御部と、を備えたものである。
【発明の効果】
【００１５】
以上のように本発明のプロジェクター装置では、プロジェクター装置の周辺環境の明るさに応じて光源の電力を制御することにより投写画質を損なうことなく省電力化を図ることができる。加えて、映像表示状態であるか否かと言うプロジェクター装置の状態に応じて光源の電力を制御することによって更に省電力化を図ることができる。
【図面の簡単な説明】
【００１６】
【図１】本発明の実施例１に係るプロジェクター装置の動作を説明するための構成図
【図２】本発明の実施例１に係るプロジェクター装置の周辺照度によるランプ電力の制御方法を説明するためのフローチャート
【図３】本発明の実施例１に係るプロジェクター装置のランプ電力を切り換えるスレッシュレベルを示したグラフ
【図４】本発明の実施例１に係るプロジェクター装置の映像表示状態によるランプ電力の制御方法を説明するためのフローチャート
【図５】従来のプロジェクター装置の一例を示した構成図
【発明を実施するための形態】
【００１７】
以下、本発明の実施の形態について図１から図４を参照しながら説明する。
【００１８】
（実施例１）
図１は、本発明の実施例１に係るプロジェクター装置の構成の一例を示した構成図である。なお、図５に示した従来のプロジェクター装置の一例と同じ構成要素には同一符号を付し、詳細な説明は省略する。
【００１９】
図１において、１０はプロジェクター装置、１１は光源であるランプ、１２は映像を表示するための映像表示デバイス、１３は投写レンズ、１４はスクリーン、１５はランプ１１に電力を供給して点灯させるためのランプ駆動制御回路、１６は映像信号を処理して表示デバイス１２に映像を表示させるための映像信号処理回路、１７はプロジェクター装置１０の動作を制御するためのマイコン、２０は制御スイッチ、２１はプロジェクター装置１０の周辺照度を検出するための周辺照度検出回路である。
【００２０】
以上のように構成されたプロジェクター装置についてその動作を説明する。
【００２１】
周辺照度検出回路２１はプロジェクター装置１０に取り付けられており、プロジェクター装置１０が設置されている周辺環境の明るさである照度を検出し、マイコン１７に照度信号を送信する。マイコン１７はこの照度信号によってプロジェクター装置１０が設置されている周辺環境の照度を認識することができる。マイコン１７は検出した周辺環境の照度と予め設定されている照度のスレッシュレベルとを比較し、周辺環境の照度に応じてランプ駆動制御回路１５を制御してランプ１１に供給する電力をランプ１１の明るさが明るい状態である高電力モード（以下「高」と称す）とやや暗くなる低電力モード（以下「低」と称す）に切り替えて制御する。また、映像信号がミュート状態であるかどうかといったプロジェクター装置１０の状態に応じてもランプ１１に供給する電力を制御する。制御スイッチ２０は電力制御の状態を設定するスイッチであり、制御スイッチ２０によってランプ１１の電力制御のＯＮ／ＯＦＦを設定することができる。
【００２２】
図２は本発明の実施例１に係るプロジェクター装置の周辺照度によるランプ電力の制御方法の一例を説明するためのフローチャートである。
【００２３】
制御スイッチ２０によってプロジェクター装置１０の周辺照度によるランプ１１の電力制御がＯＮになっている場合、プロジェクター装置１０が起動されると一旦ランプ電力を「高」に設定する（ステップＳ１１）。その後は、以下に述べるステップにより、電力が「高」または、「低」の状態で、周辺照度検出（Ｓ１２）に移行する。
【００２４】
周辺照度検出回路２１でプロジェクター装置１０の周辺照度を検出（ステップＳ１２）すると、現在のランプ電力の状態によって制御を分岐する（ステップＳ１３）。現在のランプ電力が「低」である場合は、検出した周辺照度が上側のスレッシュレベルＬ２以上かどうかを判断し（ステップＳ１４）、スレッシュレベルＬ２以上である場合はランプ電力を「高」に切り換える（ステップＳ１５）。一方、ステップＳ１３で現在のランプ電力が「高」である場合は、検出した周辺照度が下側のスレッシュレベルＬ１以下かどうかを判断し（ステップＳ１６）、スレッシュレベルＬ１以下である場合はランプ電力を「低」に切り換える（ステップＳ１７）。
【００２５】
図３は本発明の実施例１に係るプロジェクター装置のランプ電力を切り換えるスレッシュレベルを示したグラフである。
【００２６】
図３に示したように周辺照度に応じてランプ電力を切り変えるスレッシュレベルは、下側のスレッシュレベルＬ１と上側のスレッシュレベルＬ２を設け、ランプ電力の切り換えにヒステリシスを持たせることで、ランプ電力切り換え時のチャタリングによって画面の明るさが頻繁に変化する不具合を除去している。
【００２７】
なお、本実施例で示したランプ１１の電力制御方法は、ランプ電力を「高」と「低」の２段階に切り換える例を示したが、ランプ電力の切り換え段数はこれに限定されるものではない。
【００２８】
本発明によるプロジェクター装置では、周辺照度検出回路２１で検出した周辺照度に応じてランプ電力を切り換えるだけでなく、周辺照度とプロジェクター装置が映像を表示しているかどうかというプロジェクター装置の状態との関係によってもランプ電力を制御している。
【００２９】
図４は本発明の実施例１に係るプロジェクター装置の映像表示状態によるランプ電力の制御方法を説明するためのフローチャートである。
【００３０】
図２に示した周辺照度によるランプ電力の制御のフローチャートに従ってランプ電力は設定されている（ステップＳ２１）。マイコン１７はプロジェクター装置が映像を表示しない映像ミュートの状態に設定されているかどうかを確認し（ステップＳ２２）、設定されているランプ電力に応じて（ステップＳ２３）、ランプ電力が「高」のときは、ランプ電力を「低」に切り換える（ステップＳ２４）。ステップＳ２２で映像ミュート状態が解除されている場合は、ステップＳ２１で検出した周辺照度に応じてランプ電力を「高」または「低」に切り換える（ステップＳ２５）。
【００３１】
プロジェクター装置で映像の表示を一時中断させる映像ミュート状態にしているときは、映像は表示させないのであるからランプ電力を「低」にして省電力化を図ることは効果がある。また、プロジェクター装置は映像ミュート状態にしても完全にプロジェクター装置からの出射光が遮断される訳ではなく多少の光は漏れるので、漏れ光を少なくする観点からもランプ電力を「低」にすることは効果がある。
【００３２】
上記で説明したようにプロジェクター装置をプロジェクター装置の周辺の明るさに加えて装置の状態に応じてもランプの電力を制御するように構成することで、プロジェクター装置の省電力化に大きな効果がある。
【産業上の利用可能性】
【００３３】
本発明に係るプロジェクター装置は、周辺照度検出回路を設けプロジェクター装置の周辺照度に応じてランプに供給する電力を制御すると共に、映像ミュート状態にあるかどうかというプロジェクター装置の状態に応じてもランプに供給する電力を制御することを組み合わせることで、プロジェクター装置の省電力化に有効である。
【符号の説明】
【００３４】
１０  プロジェクター装置
１１  光源であるランプ
１２  映像を表示するための映像表示デバイス
１３  投写レンズ
１４  スクリーン
１５  ランプ１１に電力を供給して点灯させるためのランプ駆動制御回路
１６  映像信号を処理して表示デバイス１２に映像を表示させるための映像信号処理回路
１７  プロジェクター装置１０の動作を制御するためのマイコン
２０  制御スイッチ
２１  プロジェクター装置１０の周辺照度を検出するための周辺照度検出回路
【図１】
2012108216.tif 000003
【図２】
2012108216.tif 000004
【図３】
2012108216.tif 000005
【図４】
2012108216.tif 000006
【図５】
2012108216.tif 000007